(57)【要約】【課題】良好な解像度を確保しつつ組み立て作業性の低下を抑制することを可能にするカメラモジュール等を提供する。【解決手段】台座３の雌ねじ３ｃの有効長Ｌ３は、レンズユニット２の雄ねじ２ｃとのかみ合い開始位置から始まる距離Ｌ３１の区間（開始部）と、距離Ｌ３２の区間（嵌合部）と、からなる。開始部の雌ねじ山幅Ｂ３１は嵌合部の雌ねじ山幅Ａ３１よりも小さく、開始部の雌ねじ谷幅Ｂ３２は嵌合部の雌ねじ谷幅Ａ３２よりも大きい。雄ねじ２ｃでは、雄ねじ山幅Ａ２１及び雄ねじ谷幅Ａ２２が軸方向の全長にわたって均一である。雄ねじ谷幅Ａ２２と雌ねじ山幅Ｂ３１との隙間は、雄ねじ谷幅Ａ２２と雌ねじ山幅Ａ３１との隙間よりも大きい。レンズユニット２を台座３に取り付ける作業を行い易く、かつ、ねじ込んでいくとレンズユニット２と台座３との間の位置関係が規正される。【選択図】図４
2008193140.tif 000002
【特許請求の範囲】
【請求項１】
第１部材が備える雄ねじと第２部材が備える雌ねじとが噛み合って当該第１部材と当該第２部材とが互いに接合されるねじ接合構造であって、
前記雌ねじとの噛み合いを開始する前記雄ねじの開始部分及び／又は当該雄ねじとの噛み合いを開始する当該雌ねじの開始部分は、有効径におけるねじ山の軸方向寸法が当該開始部分以外の部分よりも小さく形成されていることを特徴とするねじ接合構造。
【請求項２】
前記開始部分の軸方向長さが、ねじピッチの１／４以上であることを特徴とする請求項１に記載のねじ接合構造。
【請求項３】
前記開始部分の軸方向長さが、ねじピッチの１／４以上であり、かつ、ねじ有効長の半分の長さ以下であることを特徴とする請求項１に記載のねじ接合構造。
【請求項４】
雌ねじが形成される台座と、
雄ねじが形成され、前記台座の雌ねじが当該雄ねじと噛み合って当該台座とねじ接合するレンズユニットと、
前記レンズユニットを通過した光が入射する撮像素子と、
を含み、
前記台座の雌ねじと前記レンズユニットの雄ねじとが噛み合いを開始する位置を含む開始区間は、当該開始区間に後続する後続区間よりも、有効径におけるねじ山幅とねじ谷幅との寸法差が大きいことを特徴とするカメラモジュール。
【請求項５】
前記開始区間の軸方向長さは、ねじの軸線回りのねじ回転角で９０度以上であり、かつ、ねじ有効長の半分の長さ以下であることを特徴とする請求項４に記載のカメラモジュール。
【請求項６】
前記開始区間におけるねじピッチに対する前記寸法差の割合が６％以上であり、
前記後続区間におけるねじピッチに対する前記寸法差の割合が５％以下であることを特徴とする請求項４に記載のカメラモジュール。
【請求項７】
前記開始区間におけるねじピッチに対する前記寸法差の割合が６％以上１０％以下であり、
前記後続区間におけるねじピッチに対する前記寸法差の割合が１％以上５％以下であることを特徴とする請求項４に記載のカメラモジュール。
【請求項８】
前記開始区間の軸方向長さは、ねじピッチの１／４以上１／２以下であり、
前記後続区間におけるねじピッチに対する前記寸法差の割合が１％以上２．５％以下であることを特徴とする請求項４に記載のカメラモジュール。
【請求項９】
前記開始区間における前記寸法差と前記後続区間における当該寸法差との差分の、ねじピッチに対する割合が５％以上であることを特徴とする請求項４に記載のカメラモジュール。
【請求項１０】
入射光を電気信号に変換して出力する撮像素子と、
前記撮像素子への光を前記入射光として透過するカバー部材と、
前記撮像素子及び前記カバー部材を保持し、当該撮像素子が出力する前記電気信号が入力される基板と、
前記入射光を前記撮像素子に集光させるレンズと、
雄ねじが形成され、前記レンズを保持するレンズユニットと、
前記雄ねじに対応する雌ねじが形成され、前記レンズユニットがねじ作用により取り付けられ、かつ、前記基板に取り付けられた台座と、
前記基板に接続され、当該基板から出力された前記電気信号を処理する信号処理部と、
を含み、
前記台座の前記雌ねじとの噛み合いを開始する前記レンズユニットの前記雄ねじの開始部分及び／又は当該雄ねじとの噛み合いを開始する当該雌ねじの開始部分は、有効径におけるねじ山の軸方向寸法が当該開始部分以外の部分よりも小さく形成されていることを特徴とする撮像装置。
【発明の詳細な説明】
【技術分野】
【０００１】
本発明は、例えば携帯電話機等に用いられるねじ接合構造、カメラモジュール及び撮像装置に関するものである。
【背景技術】
【０００２】
近年、携帯電話機等にもカメラシステムが搭載されるようになっている。このようなカメラシステムにおいては、マイクロレンズを用いて被写体画像をイメージセンサに結像させるカメラモジュールが広く使用されている。
携帯電話等が小型化されるに伴って、カメラモジュールの更なる小型化が要求されている。
【０００３】
小型化を図り、且つ、焦点精度が高いカメラモジュールに関する技術として、特許文献１に該当する技術が従来から知られていた。
特許文献１には、「レンズと、このレンズを支持する鏡筒と、レンズを介して入射された光に基づきセンサ部により撮像し、撮像信号を出力するイメージセンサチップと、窓部を有する配線基板を備えている。ここで、鏡筒は、配線基板の面上に固定されている。そして、イメージセンサチップは、センサ部が配線基板の窓部に位置するように、配線基板の鏡筒が固定された面と反対側の面において固定される。」技術が開示されている。
【０００４】
【特許文献１】特開２００３−５１９７３号公報
【発明の開示】
【発明が解決しようとする課題】
【０００５】
ここで、カメラモジュールを搭載した携帯電話機等において、レンズを備える鏡胴とレンズマウントとの嵌合手段として、ねじ嵌合を用いるのが一般的である。ねじ嵌合を用いることで、センサに対してレンズのピント位置を鏡胴を回して調整することができるようになる。また、ねじ嵌合は、鏡胴に雄ねじを形成すると共にレンズマウントに雌ねじを形成することになるので、カメラモジュールの小型化を容易に実現できるようになる。
【０００６】
ところで、更なる小型化のニーズに対応して、レンズの光学長を短くしてカメラモジュールを一層薄くする技術が提案されている。このようなカメラモジュールの場合には、レンズの光学長を短くすることに伴って、レンズを備える鏡胴とレンズマウントとの嵌合代が短くなる。嵌合代が短いために、組み立て時に、レンズマウントに対して傾いた状態で鏡胴がねじ込まれると、いわゆる光軸倒れが発生し、カメラモジュールの解像度が悪くなる。その一方で、雄ねじと雌ねじとの間の隙間を極めて小さくすると、鏡胴がレンズマウントに対して傾かないようになるものの、鏡胴をレンズマウントにねじ込む作業が行い難く、組み立て作業性が低下してしまう。
【０００７】
本発明は、以上のような技術的課題を解決するためになされたものであり、その目的とするところは、良好な解像度を確保しつつ組み立て作業性の低下を抑制するカメラモジュール等を提供することにある。
【課題を解決するための手段】
【０００８】
かかる目的のもと、本発明が適用されるねじ接合構造は、第１部材が備える雄ねじと第２部材が備える雌ねじとが噛み合って当該第１部材と当該第２部材とが互いに接合されるねじ接合構造であって、前記雌ねじとの噛み合いを開始する前記雄ねじの開始部分及び／又は当該雄ねじとの噛み合いを開始する当該雌ねじの開始部分は、有効径におけるねじ山の軸方向寸法が当該開始部分以外の部分よりも小さく形成されていることを特徴とするものである。
【０００９】
ここで、前記開始部分の軸方向長さが、ねじピッチの１／４以上であることを特徴とすることができる。また、前記開始部分の軸方向長さが、ねじピッチの１／４以上であり、かつ、ねじ有効長の半分の長さ以下であることを特徴とすることができる。
【００１０】
他の観点から捉えると、本発明が適用されるカメラモジュールは、雌ねじが形成される台座と、雄ねじが形成され、前記台座の雌ねじが当該雄ねじと噛み合って当該台座とねじ接合するレンズユニットと、前記レンズユニットを通過した光が入射する撮像素子と、を含み、前記台座の雌ねじと前記レンズユニットの雄ねじとが噛み合いを開始する位置を含む開始区間は、当該開始区間に後続する後続区間よりも、有効径におけるねじ山幅とねじ谷幅との寸法差が大きいことを特徴とするものである。
【００１１】
ここで、前記開始区間の軸方向長さは、ねじの軸線回りのねじ回転角で９０度以上であり、かつ、ねじ有効長の半分の長さ以下であることを特徴とすることができる。また、前記開始区間におけるねじピッチに対する前記寸法差の割合が６％以上であり、前記後続区間におけるねじピッチに対する前記寸法差の割合が５％以下であることを特徴とすることができる。また、前記開始区間におけるねじピッチに対する前記寸法差の割合が６％以上１０％以下であり、前記後続区間におけるねじピッチに対する前記寸法差の割合が１％以上５％以下であることを特徴とすることができる。また、前記開始区間の軸方向長さは、ねじピッチの１／４以上１／２以下であり、前記後続区間におけるねじピッチに対する前記寸法差の割合が１％以上２．５％以下であることを特徴とすることができる。また、前記開始区間における前記寸法差と前記後続区間における当該寸法差との差分の、ねじピッチに対する割合が５％以上であることを特徴とすることができる。
【００１２】
更に本発明を別の観点から捉えると、本発明が適用される撮像装置は、入射光を電気信号に変換して出力する撮像素子と、前記撮像素子への光を前記入射光として透過するカバー部材と、前記撮像素子及び前記カバー部材を保持し、当該撮像素子が出力する前記電気信号が入力される基板と、前記入射光を前記撮像素子に集光させるレンズと、雄ねじが形成され、前記レンズを保持するレンズユニットと、前記雄ねじに対応する雌ねじが形成され、前記レンズユニットがねじ作用により取り付けられ、かつ、前記基板に取り付けられた台座と、前記基板に接続され、当該基板から出力された前記電気信号を処理する信号処理部と、を含み、前記台座の前記雌ねじとの噛み合いを開始する前記レンズユニットの前記雄ねじの開始部分及び／又は当該雄ねじとの噛み合いを開始する当該雌ねじの開始部分は、有効径におけるねじ山の軸方向寸法が当該開始部分以外の部分よりも小さく形成されていることを特徴とするものである。
【発明の効果】
【００１３】
本発明によれば、良好な解像度を確保しつつ組み立て作業性の低下を抑制することが可能になる。
【発明を実施するための最良の形態】
【００１４】
以下、添付図面を参照して、本発明の実施の形態について詳細に説明する。
図１は、本実施の形態に係るカメラモジュール１を示す外観斜視図であり、図２は、本実施の形態に係るカメラモジュール１の分解斜視図である。
図１及び図２に示すように、カメラモジュール１は、レンズユニット（光学部品、第１部材）２と、レンズユニット２を保持する台座（台座マウント、第２部材）３と、台座３に取り付けられ、レンズユニット２からの光を透過するフィルタ（光学部品）４と、フィルタ４を透過した光を受けて光電変換するセンサ（撮像素子）５と、台座３が取り付けられるフレキシブル基板（ＦＰＣ：Flexible Printed Circuit、回路基板）６と、センサ５を台座３に取り付けるための板状のガラスカバー（カバー部材）７（図３参照）と、を備えている。また、フレキシブル基板６を含まない状態をカメラモジュール１ということがある。
【００１５】
台座３は、レンズユニット２が取り付けられる円筒部３ａと、フィルタ４及びセンサ５を収容保持するための空間を内部に有する矩形部３ｂと、が一体に構成されている。また、台座３は、円筒部３ａの内部空間と矩形部３ｂの内部空間とが連続するように構成されている。また、台座３は、内面から延びて内部空間を狭めるように形成されたフランジ部３ｄ（図３参照）を有する。
台座３の円筒部３ａにおける内周面には雌ねじ３ｃが形成されている。そして、レンズユニット２の外周面には、この雌ねじ３ｃに対応する雄ねじ２ｃが形成されている。そして、後述するように、レンズユニット２は、台座３の円筒部３ａに螺合して取り付けられる。更に説明すると、台座３の矩形部３ｂにおける円筒部３ａとは反対側の端面（側壁部）３ｅがフレキシブル基板６と所定の接着剤等で固着される。
【００１６】
ここで、台座３は、導電性を有するように形成されている。すなわち、台座３は、導電性材料で製造したり、非導電性材料で成形した後に導電性膜を表面に設けて製造したりする。例えば、台座３は、ＡＢＳ（アクロルニトリル・ブタジエン・スチレン）、ナイロン、ＰＰＳ（ポリフェニレンスルファイド）、ポリカーボネイト、ノリルおよび液晶ポリマーなどの非導電性樹脂に、導電性材料としてカーボン、Ａｌおよびマグネシュウムなどの金属フィラーを混入して導電性樹脂としたものを用いることができる。特に、カーボンを樹脂に混入させることにより、台座３の導電性化と共に、台座３を黒色化させて光が反射されないようにすることも考えられる。また、樹脂表面にＡｌなどの金属膜を蒸着したり、メッキ処理を施したりして、抵抗率を低くすることも考えられる。さらに、導電性樹脂と蒸着膜またはメッキ膜を組み合せて用いることも考えられる。このメッキ膜や蒸着膜は、台座３の表面（外面）または内面のみに形成してもよいが、内面および外面の両方に形成することも考えられる。また、内面に形成する場合は、反射光がセンサ５に届かないようにする配慮が必要である。
【００１７】
図３は、本実施の形態に係るカメラモジュール１の縦断面図である。
レンズユニット２は、図３に示すように、レンズユニット本体のバレル２ａと、バレル２ａに保持されるレンズ２ｂと、を有する。バレル２ａの端面には開口部２ｄが形成されている。レンズ２ｂは、外光をセンサ５の受光領域に集光させるための光学素子である。すなわち、レンズ２ｂは、開口部２ｄからの光（光学画像）が結像してセンサ５に入射するように所定の光学系を形成する。レンズ２ｂは、単一のレンズ又は複数枚のレンズ群で構成することができる。
【００１８】
フィルタ４は、可視光の範囲を超えた赤外光を除去するガラス板状の部材であり、本実施の形態では、多層膜を積層した赤外線除去フィルタ（ＩＲＣＦ：Infrared Cut Filter）を用いている。フィルタ４は、紫外線硬化樹脂等の接着剤によりフランジ部３ｄに取り付けられている。フィルタ４がフランジ部３ｄに取り付けられると、台座３の内部空間が２つに仕切られる。このフィルタ４は、センサ５の近傍に配置されており、これにより、乱反射の影響を抑制している。
【００１９】
センサ５は、ＣＣＤ(Charge Coupled Device)やＣＭＯＳ(Complementary Metal Oxide Semiconductor)等のイメージセンサであり、本実施の形態では、ＣＳＰ(Chip Scale Package)構造を有するセンサを用いている。センサ５は、レンズユニット２を介して受光領域に入射した光に応じて信号を生成し、出力する。
【００２０】
フレキシブル基板６は、柔軟性、屈曲性及び省スペース性を有する回路基板であり、一般的に、ポリイミド（ＰＩ）フィルム上に印刷又はエッチング等により回路が形成されてなる。そして、フレキシブル基板６の一端部に台座３が配置され、フレキシブル基板６の他端部にコネクタ６ａ（図１又は図２参照）が配置されている。このコネクタ６ａは、フレキシブル基板６によってセンサ５と接続されており、図示しない外部機器と電気的に接続する機能を有する。なお、柔軟性を有するフレキシブル基板６の強度を高めるために、図示しない補強板をフレキシブル基板６の台座３に対応する位置に接着剤で固着するように構成することもできる。
また、フレキシブル基板６は、表側（台座取り付け側）に端子接続部（端子）６ｂ及び図示しない接地電位端子接続部（端子）を有する。付言すると、端子接続部６ｂは、例えばスルーホール等を用いフレキシブル基板６の裏側に延びて台座３の外に位置するコネクタ６ａに電気的に接続されている。また、図示しない接地電位端子接続部は、台座３の内部から台座３の外へと延びる接地電位パターン６ｄに接続されている。
【００２１】
ガラスカバー７は、センサ５を台座３に取り付けるための板状部材であり、フィルタ４とセンサ５との間に配置されている。また、ガラスカバー７は、台座３の内周面に所定の接着剤で固着される。
【００２２】
更に説明すると、ガラスカバー７には、センサ５が取り付けられている。すなわち、ガラスカバー７の出射面（図３における下面）側には、配線パターンが予め設けられている。そして、この配線パターンの電極とセンサ５とをつなぐように複数の半田バンプ８が位置している。このように、電極の位置に取り付けられた半田バンプ８により、センサ５は、ガラスカバー７に固定されると共に、ガラスカバー７の電極と電気的に接続されている。
また、ガラスカバー７の出射面側の電極の別の位置には、半田バンプ９が配置されている。この半田バンプ９がフレキシブル基板６の端子接続部６ｂに取り付けられることで、ガラスカバー７がフレキシブル基板６に半田実装されると、ガラスカバー７とフレキシブル基板６との間の電気的な接続が確保される。
【００２３】
このように構成されたカメラモジュール１は、レンズユニット２の開口部２ｄからカメラモジュール１の内部に入ってきた光は、レンズ２ｂにより屈折された後に貫通穴３ｉを通ってフィルタ４を透過する。そして、フィルタ４を透過する際に光は所定の赤外線が除去され、ガラスカバー７を通ってセンサ５の受光領域に結像して入射される。なお、フィルタ４は、センサ５の近傍に配置されており、これにより、乱反射の影響を抑制している。
そして、センサ５において受光領域に入射された光に応じて信号が生成され、外部に出力される。センサ５から出力された信号は、半田バンプ８を介してガラスカバー７に送られ、ガラスカバー７の配線パターンから半田バンプ９を介してフレキシブル基板６に入力し、フレキシブル基板６のコネクタ６ａ（図１又は図２参照）から、カメラモジュール１を搭載した例えばモバイル機器に供給される。なお、カメラモジュール１を搭載したモバイル機器における作用については後述する。
【００２４】
また、カメラモジュール１において、台座３は導電性化されている。このため、台座３がフレキシブル基板６に取り付けられると、台座３は、フレキシブル基板６の図示しない接地電位端子接続部及び接地電位パターン６ｄと電気的に接続される。これにより、カメラモジュール１は、電磁波的にシールドされる。このため、カメラモジュール１で発生する電気ノイズ（電磁波ノイズ）が他の電気機器に入ることを遮断すると共に、電気ノイズが外部からカメラモジュール１に入ってくることを遮断する。したがって、外からの電気ノイズが撮影画像などに影響を与えたり、カメラモジュール１の電気ノイズが他の電気機器に影響を及ぼしたりすることを防ぐことができる。
【００２５】
〔第１の実施の形態〕
図４は、第１の実施の形態でのレンズユニット２と台座３とのねじ接合を説明するための断面図（端面図）であり、ねじの軸線を含んだ断面図である。なお、ねじの軸線とは、後述する有効径を定義するために用いた仮想的な円筒又は円柱の軸線をいう。
台座３の雌ねじ３ｃ及びレンズユニット２の雄ねじ２ｃは、一条ねじであり、ねじの軸線の周りを一周するときに軸方向に進む距離がピッチＰに等しい。なお、一条ねじの代わりに、ねじの軸線の周りを一周するときに軸方向に進む距離がピッチＰの２以上の整数倍に等しい多条ねじを用いることも考えられる。ここにいうピッチＰとは、ねじの軸線を含む断面において、互いに隣り合うねじ山の相対応する２点を軸線に平行に測った距離をいう。
【００２６】
ここで、図４に示す有効径Ｄとは、雄ねじの谷の径Ｄ２と雌ねじの谷の径Ｄ３との差分の半分を当該雄ねじの谷の径Ｄ２に加算して得た値をいう（Ｄ＝Ｄ２＋（Ｄ３−Ｄ２）／２）。すなわち、ここにいう有効径Ｄは、ねじみぞ（ねじ山とねじ山との間の空間）の幅がねじ山の幅に等しくなるような仮想的な円筒又は円柱の直径を指すものではない。ここにいう雄ねじの谷の径Ｄ２とは、雄ねじ２ｃの谷底に接する仮想的な円筒の直径をいい、雌ねじの谷の径Ｄ３とは、雌ねじ３ｃの谷底に接する仮想的な円筒の直径をいう。
【００２７】
雌ねじ３ｃのねじ有効長Ｌ３のうち、レンズユニット２の雄ねじ２ｃとのかみ合い開始位置から始まる距離（以下、距離を螺合長と言うことがある）Ｌ３１の区間が開始部（ねじ開始部、開始部分、開始区間）３ｃ１（図５−Ａ参照）であり、開始部３ｃ１に続く距離Ｌ３２の区間が嵌合部（ねじ嵌合部、後続部分、後続区間）３ｃ２（図５−Ａ参照）である。すなわち、ねじ有効長Ｌ３は、距離Ｌ３１と距離Ｌ３２とを加算して得た値である（Ｌ３＝Ｌ３１＋Ｌ３２）。
【００２８】
ここで、雌ねじ３ｃにおいて、距離Ｌ３１の区間における雌ねじ山幅Ｂ３１と距離Ｌ３２の区間における雌ねじ山幅Ａ３１とは互いに異なる値である。また、雌ねじ３ｃにおいて、距離Ｌ３１の区間における雌ねじ谷幅Ｂ３２と距離Ｌ３２の区間における雌ねじ谷幅Ａ３２とは互いに異なる値である。その一方で、雄ねじ２ｃのねじ有効長の全長にわたって雄ねじ山幅Ａ２１及び雄ねじ谷幅Ａ２２は、変わらない。
【００２９】
図５−Ａは、台座３の雌ねじ３ｃの拡大断面図である。
図５−Ａに示すように、台座３における雌ねじ３ｃの開始部３ｃ１では、山の頂と谷底とを連絡する面であるフランク（ねじ山の斜面）が所定量（削り量）Ｒ３ａ，Ｒ３ｂだけ削られて形成されている。具体的に説明すると、ねじ込みの際にその進行方向に対面する進み側フランクＦａは、所定量Ｒ３ａだけ削られて形成され、また、進み側フランクＦａの反対側の追い側フランクＦｂは、所定量Ｒ３ｂだけ削られて形成されている。したがって、雌ねじ山幅Ｂ３１はその分狭くなり、雌ねじ谷幅Ｂ３２はその分広くなる。また、開始部３ｃ１では、雌ねじ谷幅Ｂ３２は、ピッチＰから雌ねじ山幅Ｂ３１を引いた値である（Ｂ３２＝Ｐ−Ｂ３１）。
なお、本実施の形態では、進み側フランクＦａの所定量Ｒ３ａと追い側フランクＦｂの所定量Ｒ３ｂとは、互いに異なる値であるが、同じ値とすることも考えられる。
【００３０】
一方、台座３における雌ねじ３ｃの嵌合部３ｃ２では、開始部３ｃ１とは異なり、フランクが削られて形成されていない。したがって、嵌合部３ｃ２の雌ねじ山幅Ａ３１は、開始部３ｃ１の雌ねじ山幅Ｂ３１よりも大きい（Ａ３１＞Ｂ３１）。また、嵌合部３ｃ２の雌ねじ谷幅Ａ３２は、開始部３ｃ１の雌ねじ谷幅Ｂ３２よりも小さい（Ａ３２＜Ｂ３２）。嵌合部３ｃ２では、雌ねじ谷幅Ａ３２は、ピッチＰから雌ねじ山幅Ａ３１を引いた値である（Ａ３２＝Ｐ−Ａ３１）。
【００３１】
図５−Ｂは、レンズユニット２の雄ねじ２ｃの拡大断面図である。
図５−Ｂに示すように、レンズユニット２の雄ねじ２ｃは、軸方向の全長にわたって雄ねじ山幅Ａ２１と雄ねじ谷幅Ａ２２が同じである。また、雄ねじ２ｃにおいて、ピッチＰは、雄ねじ山幅Ａ２１と雄ねじ谷幅Ａ２２とを加算した値である（Ｐ＝Ａ２１＋Ａ２２）。なお、レンズユニット２における雄ねじ２ｃのピッチＰは、台座３における雌ねじ３ｃのピッチＰと同じ値である。
【００３２】
図６及び図７は、レンズユニット２が台座３にねじ込まれる状態を説明するための断面図である。すなわち、図６は、レンズユニット２を台座３に挿入する状態を示し、図７は、レンズユニット２を台座３に挿入してガタのない状態を示している。
レンズユニット２の雄ねじ２ｃの先端と台座３における雌ねじ３ｃの開始部３ｃ１とのかみ合いは、図６に示すように、雄ねじ２ｃと雌ねじ３ｃとの間のすきま（ガタ）が形成されているため、円滑に行われる。すなわち、ねじ嵌合挿入性を確保することができる。
【００３３】
その一方で、図７に示すように、レンズユニット２の雄ねじ２ｃの先端が台座３における雌ねじ３ｃの嵌合部３ｃ２に螺進すると、台座３における雌ねじ３ｃの嵌合部３ｃ２では、雄ねじ２ｃの先端と雌ねじ３ｃとの間のすきまが小さくなる。このため、雄ねじ２ｃと雌ねじ３ｃとの間のすきま寸法（ガタ量）が図６の場合よりも小さくなり、レンズユニット２が台座３に対して傾かないようになる。すなわち、レンズユニット２の台座３に対する姿勢が規正され、これにより、後述する解像度歩留まりが良好になる。
【００３４】
このように、本実施の形態では、開始部３ｃ１のみ軸方向にガタを設け、それ以外の部分すなわち嵌合部３ｃ２ではガタのないようにしている。これにより、レンズユニット２を台座３に容易に挿入できると共にねじ込むことによってガタはなくなり、レンズユニット２が台座３に対して傾くことがない。
【００３５】
更に説明すると、仮に、本実施の形態のような開始部３ｃ１を設けない構成とする場合を考えてみる。すなわち、雌ねじ３ｃのねじ有効長の全体にわたって比較的大きなガタ量とすると、レンズユニット２を台座３に挿入する作業は行い易い反面、レンズユニット２を台座３に挿入した後にはレンズユニット２が台座３に対して傾くことになり、光学特性上好ましくない。その一方で、ガタ量を極少にして雌ねじ３ｃのねじ有効長の全体にわたってガタがないと、レンズユニット２を台座３に挿入した後にレンズユニット２が台座３に対して傾くことがなく、光学上好ましい。しかしながら、レンズユニット２を台座３に挿入する作業はきわめて困難になり、作業性が低下してしまう。
【００３６】
このような点で、本実施の形態では、雌ねじ３ｃにおけるかみ合い開始位置から始まる距離Ｌ３１の区間である開始部３ｃ１では、ガタ量を比較的大きくして作業性の低下を抑制している。そして、開始部３ｃ１に続く距離Ｌ３２の嵌合部３ｃ２では、ガタ量を比較的小さくしてレンズユニット２が台座３に対して傾くことがないようにしている。すなわち、台座３の雌ねじ３ｃにレンズユニット２の雄ねじ２ｃが螺合するまでの区間は、作業性を考慮してガタ量を多くし、その後に雄ねじ２ｃが螺進する雌ねじ３ｃの区間では、光学特性を考慮してガタ量をきわめて小さくしている。
【００３７】
図８、図９及び図１０は、雄ねじ２ｃ及び雌ねじ３ｃからなる各種の試料を用いて行った実験を説明するための表である。すなわち、図８は、用いた試料の寸法を示す表であり、図９は、図８に示す試料の寸法の割合等を示す表であり、図１０は、図８の試料を用いて行った評価結果を示す表である。
図８〜図１０に示すように、実験には試料１０１〜１１４という１４個の試料を用い、試料１０１〜１０４は、従来例であり、試料１０５〜１０８及び試料１１０〜１１３は、本実施の形態（本実施形態）の場合であり、試料１０９及び試料１１４は、比較例である。
【００３８】
図８に示すように、試料１０１〜１１４のいずれも、雌ねじ３ｃの有効長Ｌ３は１．４ｍｍである。付言すると、従来例の試料１０１〜１０４では、開始部３ｃ１がなく（Ｌ３１＝０）、有効長Ｌ３のすべてが嵌合部３ｃ２である。また、本実施形態の試料１０５〜１０８では、開始部３ｃ１の螺合長Ｌ３１がいずれも０．０５ｍｍ（５０μｍ）である（Ｌ３１＝０．０５ｍｍ）。そして、本実施形態の試料１１０〜１１３の各々では、開始部３ｃ１の螺合長Ｌ３１は互いに異なる値である。なお、有効長Ｌ３は、開始部３ｃ１の螺合長Ｌ３１と嵌合部３ｃ２の螺合長Ｌ３２とを加算した値である（Ｌ３＝Ｌ３１＋Ｌ３２）。
【００３９】
また、試料１０１〜１１４のいずれも、雌ねじ２ｃ及び雄ねじ３ｃの各ピッチＰが０．２ｍｍであり、また、雄ねじ谷幅Ａ２２は０．１ｍｍである。
そして、開始部３ｃ１において、雄ねじ谷幅Ａ２２と雌ねじ山幅Ｂ３１と隙間δ１とを加算した値がピッチＰである（Ｐ＝Ａ２２＋Ｂ３１＋δ１）。また、嵌合部３ｃ２において、雄ねじ谷幅Ａ２２と雌ねじ山幅Ａ３１と隙間δ２とを加算した値がピッチＰである（Ｐ＝Ａ２２＋Ｂ３１＋δ２）。また、開始部３ｃ１の隙間δ１と嵌合部３ｃ２の隙間δ２との差分が隙間差Δである（Δ＝δ１−δ２）。
【００４０】
ここで、開始部３ｃ１の螺合長Ｌ３１の有効長Ｌ３に対する割合Ｘ（Ｘ＝Ｌ３１／Ｌ３）について説明する。図９に示すように、本実施形態の試料１０５〜１０８では割合Ｘが３．６％であり、比較例の試料１０９では割合Ｘが１．４％である。また、別の本実施形態の試料１１０の割合が７．１％、試料１１１の割合が１４．３％、試料１１２の割合が３５．７％、試料１１３の割合が５０％である。また、別の比較例の試料１１４では割合が５３．６％である。
【００４１】
また、開始部３ｃ１の螺合長Ｌ３１とピッチＰとの関係について説明する。図９に示すように、本実施形態の試料１０５〜１０８での螺合長Ｌ３１は１／４Ｐ（０．２５Ｐ）、比較例の試料１０９での螺合長Ｌ３１は１／１０Ｐ（０．１Ｐ）である。また、別の本実施形態の試料１１０での螺合長Ｌ３１は１／２Ｐ（０．５Ｐ）であり、試料１１１での螺合長Ｌ３１は１Ｐであり、試料１１２での螺合長Ｌ３１は２．５Ｐであり、試料１１３での螺合長Ｌ３１は３．５Ｐである。また、別の比較例の試料１１４での螺合長Ｌ３１は３．７５Ｐである。
言い換えると、本実施形態の試料１０５〜１０８では、雄ねじ２ｃを９０度ねじ込むと雄ねじ２ｃの先端は、雌ねじ３ｃの開始部３ｃ１を通過して嵌合部３ｃ２に達する。すなわち、試料１０５〜１０８では、ねじ込み角度が９０度のときに嵌合部３ｃ２に達する。このようなねじ込み角度は、比較例の試料１０９では３６度であり、また、別の本実施形態の試料１１０では１８０度、試料１１１では３６０度、試料１１２では９００度、試料１１３では１２６０度であり、別の比較例の試料１１４では１３５０度である。
【００４２】
図８に示すように、従来例の試料１０１〜１０４では、嵌合部３ｃ２の雌ねじ山幅Ａ３１を変えることで、雄ねじ谷幅Ａ２２と雌ねじ山幅Ａ３１との差分である隙間δ２を変えている。すなわち、試料１０１では、隙間δ２が０．００２ｍｍ（２μｍ）であり、ガタがない状態である。また、試料１０２では、隙間δ２が０．０１ｍｍ（１０μｍ）であり、この程度であればガタがない状態である。一方、試料１０３では、隙間δ２が０．０１２ｍｍ（１２μｍ）であり、これぐらいになるとガタが発生する。また、試料１０４では、隙間δ２が０．０２ｍｍ（２０μｍ）であり、かなりのガタが発生する。
【００４３】
ここで、試料１０５〜１１４の隙間について説明する。図８に示すように、本実施形態の試料１０５〜１０８では、開始部３ｃ１の隙間δ１及び嵌合部３ｃ２の隙間δ２をそれぞれ変えている。すなわち、本実施形態の試料１０５では、隙間δ１が０．０１２ｍｍ（１２μｍ）であり、隙間δ２が０．００２ｍｍ（２μｍ）である。すなわち、開始部３ｃ１と嵌合部３ｃ２との隙間差Δ（Δ＝δ１−δ２）は、０．０１ｍｍ（１０μｍ）である。そして、図９に示すように、本実施形態の試料１０５〜１０８では、隙間δ１のピッチＰに対する割合ｙ１（ｙ１＝δ１／Ｐ）が６％であり、隙間δ２のピッチＰに対する割合ｙ２（ｙ２＝δ２／Ｐ）が１％である。また、隙間差ΔのピッチＰに対する割合Ｙ（Ｙ＝Δ／Ｐ）は５％である。
【００４４】
本実施形態の試料１０６では、図８に示すように、隙間δ１が０．０２ｍｍ（２０μｍ）であり、隙間δ２が０．００２ｍｍ（２μｍ）であり、隙間差Δは、０．０１８ｍｍ（１８μｍ）である。そして、図９に示すように、割合ｙ１は１０％であり、割合ｙ２は１％であり、割合Ｙは９％である。
【００４５】
本実施形態の試料１０７では、図８に示すように、隙間δ１が０．０１２ｍｍ（１２μｍ）であり、隙間δ２が０．０１ｍｍ（１０μｍ）であり、隙間差Δは、０．００２ｍｍ（２μｍ）である。そして、図９に示すように、割合ｙ１は６％であり、割合ｙ２は５％であり、割合Ｙは１％である。
【００４６】
本実施形態の試料１０８では、図８に示すように、隙間δ１が０．０２ｍｍ（２０μｍ）であり、隙間δ２が０．０１ｍｍ（１０μｍ）であり、隙間差Δは、０．０１ｍｍ（１０μｍ）である。そして、図９に示すように、割合ｙ１は１０％であり、割合ｙ２は５％であり、割合Ｙは５％である。
【００４７】
一方、比較例の試料１０９では、図８に示すように、隙間δ１が０．０２ｍｍ（２０μｍ）であり、隙間δ２が０．００５ｍｍ（５μｍ）であり、隙間差Δは、０．０１５ｍｍ（１５μｍ）である。そして、図９に示すように、割合ｙ１は１０％であり、割合ｙ２は２．５％であり、割合Ｙは７．５％である。
【００４８】
また、図８に示すように、本実施形態の試料１１０〜１１３及び比較例の試料１１４のいずれも、隙間δ１が０．０２ｍｍ（２０μｍ）であり、隙間δ２が０．００５ｍｍ（５μｍ）であり、隙間差Δは、０．０１５ｍｍ（１５μｍ）である。そして、図９に示すように、本実施形態の試料１１０〜１１３及び比較例の試料１１４のいずれも、割合ｙ１は１０％であり、割合ｙ２は２．５％であり、割合Ｙは７．５％である。
【００４９】
図１０に示す表は、試料１０１〜１１４についてネジ嵌合挿入性及び解像度歩留まりの評価結果を示すものである。ネジ嵌合挿入性は、○、△及び×の三段階で評価したものである。また、解像度歩留まりについて、像高７０％位置にて２５０ＴＶ本を合格として数えたものである。更に説明すると、実験の諸条件としては、レンズユニット２の開口部２ｄ（図２又は図３参照）の有効撮像円の直径が２．３ｍｍであり、レンズ２ｂとして、２枚のプラスチックレンズを用いている。そして、レンズユニット２の雄ねじ２ｃ及び台座３の雌ねじ３ｃの呼び径はＭ４．５であり、ネジ山の角度は６０度、雄ねじ２ｃの有効長が１．４ｍｍ、雌ねじ３ｃの有効長が１．４ｍｍである。また、センサ５（図３参照）は対角３．１７５ｍｍ（１／８インチ）であり、有効解像度ＶＧＡにて中心解像度３５０本がベストになるようにピント調整を行い、アスペクト比４：３の対角線上となる像高７０％位置の４箇所の解像本数を測定した。
【００５０】
ネジ嵌合挿入性については、従来例の試料１０１が×であり、従来例の試料１０２が△であり、比較例の試料１０９が×である。それ以外の試料１０３〜１０８及び試料１１０〜１１４は○である。
【００５１】
また、解像度歩留まりについては、従来例の試料１０３の不良数の発生率が２０％と高く、また、従来例の試料１０４の不良数の発生率が４０％と高い。また、比較例１１４の不良数の発生率が２７％と高い。
一方、従来例の試料１０１，１０２、本実施形態の試料１０５，１０６，１１０及び比較例の試料１０９では不良が発生しなかった。また、本実施形態の試料１０７，１０８，１１１，１１２，１１３では不良が発生したものの、その発生率は３〜１０％と比較的低かった。
【００５２】
このように、従来例の試料１０１〜１０４については、隙間が小さいと解像度歩留まりが良いがネジ嵌合挿入性が悪化し、逆に、隙間が大きいとネジ嵌合挿入性は良いが、光軸だおれにより解像度歩留まりが悪化する。
【００５３】
また、本実施形態の試料１０５〜１０８及び試料１１０〜１１３ではネジ嵌合挿入性と解像度歩留まりの両方が良い。また、比較例の試料１０９及び試料１１４については、本実施形態の試料１０５〜１０８に比べるとネジ嵌合挿入性と解像度歩留まりのいずれか一方が悪化する。
【００５４】
更に説明すると、比較例の試料１０９では、開始部３ｃ１の螺合長Ｌ３１が本実施形態の試料１０５〜１０８に比べて短い。すなわち、本実施形態の試料１０５〜１０８の螺合長Ｌ３１が０．０５ｍｍであるのに対し、比較例の試料１０９の螺合長Ｌ３１が０．０２ｍｍである。比較例の試料１０９では、この螺合長Ｌ３１の短さが原因でネジ嵌合挿入性が悪化している。
また、比較例の試料１１４では、開始部３ｃ１の螺合長Ｌ３１が本実施形態の試料１１０〜１１３の螺合長Ｌ３１よりも長い。そして、開始部３ｃ１の螺合長Ｌ３１が長ければ長いほど良いというわけではなく、あまりにも長すぎると、解像度歩留まりが悪化してくる。
このような評価結果により、ねじの有効長が１．４ｍｍで、ピッチＰが０．２の場合には、開始部３ｃ１の螺合長Ｌ３１は０．０５〜０．７ｍｍの範囲であることが好ましい。言い換えると、開始部３ｃ１の軸方向の長さは、有効長Ｌ３に対して３．６〜５０％程度であるのが好ましく、また、ねじ込み角度が９０度以上１２６０度以下程度であるのが好ましい。
【００５５】
また、本実施形態の試料１０５〜１０８は、解像度歩留まりの不良数の発生率からすると、開始部３ｃ１の隙間δ１が０．０１２〜０．０２ｍｍ、その割合ｙ１が６〜１０％であるのが好ましい。また、嵌合部３ｃ２の隙間δ２が０．００２〜０．０２％、その割合ｙ２が１〜５％であるのが好ましい。
また、開始部３ｃ１の隙間δ１と嵌合部３ｃ２の隙間δ２との隙間差Δが０．００２ｍｍ以上で、その割合Ｙが１％以上であるのが好ましい。更には、この隙間差Δが０．０１ｍｍ以上で、その割合Ｙが５％以上であるのがより好ましい。
【００５６】
ここで、レンズユニット２及び台座３の製造は、図示しない射出成形用の金型を用いて行われる。更に説明すると、レンズユニット２の雄ねじ２ｃを成形する部分の金型は、割型構造とする。一方、台座３の雌ねじ３ｃを成形する部分の金型は、割型構造とせず、成形された台座３に対してねじが形成されたねじ駒をモータ等を使って回転させて抜くことにより、台座３を金型から外すことができる。
【００５７】
〔第２の実施の形態〕
図１１は、第２の実施の形態でのレンズユニット２と台座３とのねじ接合を説明するための断面図（端面図）であり、ねじの軸線を含んだ断面図である。
図１１に示すように、本実施の形態は、台座３の雌ねじ３ｃに開始部３ｃ１及び嵌合部３ｃ２を形成した第１の実施の形態（図５−Ａ参照）とは異なり、レンズユニット２の雄ねじ２ｃに開始部２ｃ１（図１２−Ｂ参照）及び嵌合部２ｃ２（図１２−Ｂ参照）を設けている。すなわち、雄ねじ２ｃのねじ有効長Ｌ２のうち、台座３の雌ねじ３ｃとのかみ合い開始位置から始まる距離Ｌ２１の区間が開始部２ｃ１（図１２−Ｂ参照）であり、開始部２ｃ１に続く距離Ｌ２２の区間が嵌合部２ｃ２（図１２−Ｂ参照）である。すなわち、ねじ有効長Ｌ２は、距離Ｌ２１と距離Ｌ２２とを加算して得た値である（Ｌ２＝Ｌ２１＋Ｌ２２）。
【００５８】
ここで、雄ねじ２ｃにおいて、距離Ｌ２１の区間における雄ねじ山幅Ｆ２１と距離Ｌ２２の区間における雄ねじ山幅Ｅ２１とは互いに異なる値である。また、雄ねじ２ｃにおいて、距離Ｌ２１の区間における雄ねじ谷幅Ｆ２２と距離Ｌ２２の区間における雄ねじ谷幅Ｅ２２とは互いに異なる値である。その一方で、雄ねじ２ｃのねじ有効長Ｌ２の全長にわたって雌ねじ山幅Ｅ３１及び雌ねじ谷幅Ｅ３２は、変わらない。
【００５９】
図１２−Ａは、台座３の雌ねじ３ｃの拡大断面図である。
図１２−Ａに示すように、台座３における雌ねじ３ｃは、軸方向の全長にわたって雌ねじ山幅Ｅ３１と雌ねじ谷幅Ｅ３２が同じである。また、雌ねじ３ｃにおいて、ピッチＰは、雌ねじ山幅Ｅ３１と雌ねじ谷幅Ｅ３２とを加算した値である（Ｐ＝Ｅ３１＋Ｅ３２）。
【００６０】
図１２−Ｂは、レンズユニット２の雄ねじ２ｃの拡大断面図である。
図１２−Ｂに示すように、レンズユニット２における雄ねじ２ｃの開始部２ｃ１では、進み側フランクＦａは、所定量Ｒ２ａだけ削られて形成され、また、追い側フランクＦｂは、所定量Ｒ２ｂだけ削られて形成されている。このため、雄ねじ山幅Ｆ２１はその分狭くなり、雄ねじ谷幅Ｆ２２はその分広くなる。また、開始部２ｃ１では、雄ねじ谷幅Ｆ２２は、ピッチＰから雄ねじ山幅Ｆ２１を引いた値である（Ｆ２２＝Ｐ−Ｆ２１）。
【００６１】
一方、台座２における雄ねじ２ｃの嵌合部２ｃ２では、開始部２ｃ１とは異なり、フランクが削られて形成されていない。したがって、嵌合部２ｃ２の雄ねじ山幅Ｅ２１は、開始部２ｃ１の雄ねじ山幅Ｆ２１よりも大きい（Ｅ２１＞Ｆ２１）。また、嵌合部２ｃ２の雄ねじ谷幅Ｅ２２は、開始部２ｃ１の雄ねじ谷幅Ｆ２２よりも小さい（Ｅ２２＜Ｆ２２）。嵌合部２ｃ２では、雄ねじ谷幅Ｅ２２は、ピッチＰから雄ねじ山幅Ｅ２１を引いた値である（Ｅ２２＝Ｐ−Ｅ２１）。
【００６２】
なお、本実施の形態においてレンズユニット２が台座３にねじ込まれる状態及びその作用は、図６及び図７を用いて上述した第１の実施の形態の場合と同じゆえ、図示及びその説明を省略するものとする。
【００６３】
図１３、図１４及び図１５は、雄ねじ及び雌ねじからなる各種の試料を用いて行った実験を説明するための表である。すなわち、図１３は、用いた試料の寸法を示す表であり、第１の実施の形態における図８に相当する表である。図１４は、図１３に示す試料の寸法の割合等を示す表であり、第１の実施の形態における図９に相当する表である。図１５は、図１３の試料を用いて行った評価結果を示す表であり、第１の実施の形態における図１０に相当する表である。
図１３〜図１５に示すように、実験には試料２０１〜２１４という１４個の試料を用い、試料２０１〜２０４は、従来例であり、試料２０５〜２０８及び試料２１０〜２１３は、本実施形態の場合であり、試料２０９及び試料２１４は、比較例である。なお、図１３に示す従来例の試料２０１〜２０４は、図８に示す従来例の試料１０１〜１０４と同じである。
【００６４】
図１３に示すように、試料２０１〜２１４のいずれも、雄ねじ２ｃの有効長Ｌ２は１．４ｍｍであり、また、雌ねじ２ｃ及び雄ねじ３ｃの各ピッチＰが０．２ｍｍであり、雌ねじ谷幅Ｅ３２は０．１ｍｍである。そして、開始部２ｃ１において、雌ねじ谷幅Ｅ３２と雄ねじ山幅Ｆ２１と隙間δ１とを加算した値がピッチＰである（Ｐ＝Ｅ３２＋Ｆ２１＋δ１）。また、嵌合部２ｃ２において、雌ねじ谷幅Ｅ３２と雄ねじ山幅Ｅ２１と隙間δ２とを加算した値がピッチＰである（Ｐ＝Ｅ３２＋Ｅ２１＋δ２）。また、開始部２ｃ１の隙間δ１と嵌合部２ｃ２の隙間δ２との差分が隙間差Δである（Δ＝δ１−δ２）。
【００６５】
図１４に示すように、本実施形態の試料２０５〜２０８では、開始部２ｃ１の螺合長Ｌ２１の有効長Ｌ２に対する割合Ｘ（Ｘ＝Ｌ２１／Ｌ２）が３．６％であり、比較例の試料２０９では割合Ｘが１．４％である。また、別の本実施形態の試料２１０の割合が７．１％、試料２１１の割合が１４．３％、試料２１２の割合が３５．７％、試料２１３の割合が５０％である。また、別の比較例の試料２１４では割合が５３．６％である。
【００６６】
また、図１４に示すように、本実施形態の試料２０５〜２０８での螺合長Ｌ２１は０．２５Ｐ、比較例の試料２０９での螺合長Ｌ２１は０．１Ｐである。また、別の本実施形態の試料２１０での螺合長Ｌ２１は０．５Ｐであり、試料２１１での螺合長Ｌ２１は１Ｐであり、試料２１２での螺合長Ｌ２１は２．５Ｐであり、試料２１３での螺合長Ｌ２１は３．５Ｐである。また、別の比較例の試料２１４での螺合長Ｌ２１は３．７５Ｐである。
【００６７】
なお、図１３に示す試料２０１〜２１４の隙間δ１，δ２及び隙間差Δについては、図８に示す試料１０１〜１１４の隙間δ１，δ２及び隙間差Δと同じ値である。また、図１４に示す試料２０１〜２１４の割合ｙ１，ｙ２，Ｙについては、図９に示す試料１０１〜１１４の割合ｙ１，ｙ２，Ｙと同じ値である。
【００６８】
図１５に示す表は、試料２０１〜２１４についてネジ嵌合挿入性及び解像度歩留まりの評価結果を示すものである。試料２０１〜２１４の評価結果は、上述した図１０に示す試料１０１〜１１４の評価結果と同様のものとなった。
【００６９】
以上、第１の実施の形態及び第２の実施の形態を説明したが、それ以外の実施の形態も考えられる。すなわち、レンズユニット２の雄ねじ２ｃに開始部２ｃ１及び嵌合部２ｃ２を形成すると共に、台座３の雌ねじ３ｃに開始部３ｃ１及び嵌合部３ｃ２を形成する構成である。
【００７０】
次に、上述した本実施の形態のカメラモジュール１を備える撮像装置としての携帯電話機１００について説明する。なお、本実施の形態のカメラモジュール１は、携帯電話機１００のほかに、例えば、パーソナルコンピュータやＰＤＡ(Personal Digital Assistant)に搭載されるカメラ、自動車に搭載されるカメラ又は監視カメラ等にも適用することが可能である。
図１６は、携帯電話機１００の構成を示すブロック図である。図１６に示すように、携帯電話機１００は、カメラモジュール１からの画像信号に対して画像処理を行う信号処理部の一例としての画像処理プロセッサ（ＩＳＰ）１０１と、携帯電話機１００における各種制御を行うＭＰＵ(Micro Processing Unit)１０２と、このＭＰＵ１０２にユーザからの指示を与えるための入力キー１０３と、を備えている。また、携帯電話機１００は、例えば発信時および着信時の電話機番号や電池残量状態或いは電波受信状態等を表示するとともに、カメラモジュール１により撮影された被写体を映し出す画像出力手段の一例としての液晶ディスプレイ（ＬＣＤ）１０４を備えている。また、携帯電話機１００は、携帯電話機１００を制御するための各種情報等を記憶するメモリ１０５と、画像データを記録する記録媒体の一例としてのメモリカード１０６と、を備えている。
さらに、携帯電話機１００は、アンテナ１０７を介して携帯電話帯や無線ＬＡＮ(Local Area Network)帯の電波を受信して、携帯電話事業者等が提供するサーバと無線通信を行うＲＦ（Radio Frequency）部１０８と、通信をするための信号を生成するベースバンド部１０９と、通話時の音声や着信メロディ等の音を再生するオーディオコーデック部１１０と、オーディオコーデック部１１０からの信号に基づき着信鳴動音を出力するためのスピーカ１１１と、着信を光により通知するためＬＥＤ１１２と、を備えている。
また、カメラモジュール１は、例えばＩＩＣやＳＰＩ等のインターフェースによってＭＰＵ１０２との通信が行われて信号が送受信される。
【００７１】
携帯電話機１００では、入力キー１０３においてデジタルカメラ使用モードが選択されると、ＭＰＵ１０２はカメラモジュール１との通信を開始する。そして、ＭＰＵ１０２はカメラモジュール１に制御信号を送信する。すると、カメラモジュール１のレンズユニット２を透過した被写体からの光は、カメラモジュール１のセンサ５によって電気信号に変換され、ＩＳＰ１０１で信号処理が施される。ＩＳＰ１０１で信号処理された画像信号は、携帯電話機１００のメモリ１０５に一時的に保存され、ＬＣＤ１０４にスルー画像として表示される。
【００７２】
ところで、被写体の撮影は、入力キー１０３にあるシャッタボタンで行なわれる。シャッタボタンを押すと、ＭＰＵ１０２は、ＩＳＰ１０１で処理された画像データをメモリ１０５に保存する。ＭＰＵ１０２には、ＪＰＥＧやＭＰＥＧ等の手法による圧縮解凍回路が含まれており、メモリ１０５に保存された画像データは、ＭＰＵ１０２により圧縮処理されてメモリカード１０６に記録される。また、メモリカード１０６に記録された画像データをＭＰＵ１０２によって解凍してメモリ１０５に読み込み、ＬＣＤ１０４に再度表示させることも可能である。
なお、ＭＰＵ１０２では、入力キー１０３からの操作により、撮影モードの選択やホワイトバランスや露出、感度等の設定が可能である。また、ＩＳＰ１０１で処理された画像データをメモリ１０５に保存する際に、デジタルズーム処理を行うことも可能である。
【図面の簡単な説明】
【００７３】
【図１】本実施の形態に係るカメラモジュールを示す外観斜視図である。
【図２】本実施の形態に係るカメラモジュールの分解斜視図である。
【図３】本実施の形態に係るカメラモジュールの縦断面図である。
【図４】第１の実施の形態でのレンズユニットと台座とのねじ接合を説明するための断面図である。
【図５−Ａ】台座の雌ねじの拡大断面図である。
【図５−Ｂ】レンズユニットの雄ねじの拡大断面図である。
【図６】レンズユニットが台座にねじ込まれる状態を説明するための断面図である。
【図７】レンズユニットが台座にねじ込まれる状態を説明するための断面図である。
【図８】雄ねじ及び雌ねじからなる各種の試料を用いて行った実験を説明するための表である。
【図９】雄ねじ及び雌ねじからなる各種の試料を用いて行った実験を説明するための表である。
【図１０】雄ねじ及び雌ねじからなる各種の試料を用いて行った実験を説明するための表である。
【図１１】第２の実施の形態でのレンズユニットと台座とのねじ接合を説明するための断面図である。
【図１２−Ａ】台座の雌ねじの拡大断面図である。
【図１２−Ｂ】レンズユニットの雄ねじの拡大断面図である。
【図１３】雄ねじ及び雌ねじからなる各種の試料を用いて行った実験を説明するための表である。
【図１４】雄ねじ及び雌ねじからなる各種の試料を用いて行った実験を説明するための表である。
【図１５】雄ねじ及び雌ねじからなる各種の試料を用いて行った実験を説明するための表である。
【図１６】携帯電話機の構成を示すブロック図である。
【符号の説明】
【００７４】
１…カメラモジュール、２…レンズユニット、２ｃ…雄ねじ、２ｃ１，３ｃ１…開始部、２ｃ２，３ｃ２…嵌合部、３…台座、３ｃ…雌ねじ、１００…携帯電話機、Ａ２１，Ｅ２１，Ｆ２１…雄ねじ山幅、Ａ２２，Ｅ２２，Ｆ２２…雄ねじ谷幅、Ａ３１，Ｂ３１，Ｅ３１…雌ねじ山幅、Ａ３２，Ｂ３２，Ｅ３２…雌ねじ谷幅、Ｄ…有効径、Ｄ２…雄ねじの谷の径、Ｄ３…雌ねじの谷の径、Ｐ…ピッチ、Ｒ２ａ，Ｒ２ｂ，Ｒ３ａ，Ｒ３ｂ…所定量、Ｘ，ｙ１，ｙ２，Ｙ…割合、δ１，δ２…隙間、Δ…隙間差
【図１】
2008193140.tif 000003
【図２】
2008193140.tif 000004
【図３】
2008193140.tif 000005
【図４】
2008193140.tif 000006
【図５−Ａ】
2008193140.tif 000007
【図５−Ｂ】
2008193140.tif 000008
【図６】
2008193140.tif 000009
【図７】
2008193140.tif 000010
【図８】
2008193140.tif 000011
【図９】
2008193140.tif 000012
【図１０】
2008193140.tif 000013
【図１１】
2008193140.tif 000014
【図１２−Ａ】
2008193140.tif 000015
【図１２−Ｂ】
2008193140.tif 000016
【図１３】
2008193140.tif 000017
【図１４】
2008193140.tif 000018
【図１５】
2008193140.tif 000019
【図１６】
2008193140.tif 000020